(57)【特許請求の範囲】
【請求項１】
公衆移動通信網と連動し移動局に公衆移動通信サービスと私設無線網サービスを提供する私設無線網において、
前記移動局から私設基地局を通じて対話型ショートメッセージサービス要求がある場合、初期発信メッセージの目的地アドレスに応じて、私設移動交換局を通じ前記私設無線網にルーティングするか、又は、前記公衆移動通信網の基地局制御器を通じて前記公衆移動通信網にルーティングする私設基地局制御器と、
前記私設移動交換局に連結される私設ホーム位置登録機と、
前記私設移動交換局に連結される私設ショートメッセージサービスセンターと、
前記私設ショートメッセージサービスセンターと通信し前記私設基地局制御器の前記私設無線網へのルーティングに従って、前記移動局に対話型ショートメッセージサービスを提供する対話型ショートメッセージサービスサーバと、
を設け、
前記私設基地局制御器は、初期発信メッセージ及び初期発信以後の発信メッセージの目的地アドレスを分析し、
前記目的地アドレスに私設用プレフィックスが含まれている場合には、前記私設ホーム位置登録機に私設無線網対話型ショートメッセージサービスセッション中である状態を登録するとともに、私設移動交換局を通じ前記私設無線網にルーティングし、
前記目的地アドレスに公衆用プレフィックスが含まれている場合には、前記私設ホーム位置登録機で前記私設無線網対話型ショートメッセージサービスセッション中である状態を解除するとともに、前記公衆移動通信網の基地局制御器を通じて前記公衆移動通信網にルーティングし、
前記目的地アドレスにプレフィックスが含まれていない場合には、さらに、前記私設ホーム位置登録機で前記私設無線網対話型ショートメッセージサービスセッション中であるかを確認し、
前記私設無線網対話型ショートメッセージサービスセッション中である場合には、前記私設無線網にルーティングし、
前記私設無線網対話型ショートメッセージサービスセッション中ではない場合には、前記公衆移動通信網にルーティングする
ことを特徴とする対話型ショートメッセージサービスシステム。
【請求項２】
私設基地局と、前記私設基地局に連結される私設基地局制御器と、前記私設基地局制御器に連結される私設移動交換局と、前記私設移動交換局に連結される私設ショートメッセージサービスセンターと、前記私設ショートメッセージサービスセンターに連結され移動局に対話型ショートメッセージサービスを提供するための対話型ショートメッセージサービスサーバと、を備え、公衆移動通信網と連動する私設無線網において、
前記私設基地局制御器が前記移動局から前記私設基地局を通じて対話型ショートメッセージサービス要求を受信すると、前記私設無線網に登録された移動局であるか否かを確認する過程と、
前記私設無線網に登録されていない移動局である場合には、前記公衆移動通信網の基地局制御器を通じて前記公衆移動通信網にルーティングする過程と、
前記私設無線網に登録された移動局である場合には、初期発信メッセージ及び初期発信以後の発信メッセージの目的地アドレスを分析する過程と、
前記目的地アドレスに私設用プレフィックスが含まれている場合には、前記私設移動交換局に連結される私設ホーム位置登録機に私設無線網対話型ショートメッセージサービスセッション中である状態を登録するとともに、前記私設移動交換局を通じて前記私設無線網にルーティングする過程と、
前記目的地アドレスに公衆用プレフィックスが含まれている場合には、前記私設ホーム位置登録機で前記私設無線網対話型ショートメッセージサービスセッション中である状態を解除するとともに、前記公衆移動通信網の基地局制御器を通じて前記公衆移動通信網にルーティングする過程と、
を含み、
前記目的地アドレスにプレフィックスが含まれていない場合には、前記私設ホーム位置登録機で前記私設無線網対話型ショートメッセージサービスセッション中であるかを確認する過程と、
前記私設無線網対話型ショートメッセージサービスセッション中である場合には、前記私設無線網にルーティングする過程と、
前記私設無線網対話型ショートメッセージサービスセッション中ではない場合には、前記公衆移動通信網にルーティングする過程と、をさらに含む
ことを特徴とする対話型ショートメッセージサービスのためのルーティング方法。
【発明の詳細な説明】
【０００１】
【発明の属する技術分野】
本発明は公衆移動通信網(ＰＬＭＮ:Public Land Mobile Network)と私設無線網を連動(interworking)した移動通信サービスに関するもので、特に対話型（双方向）(interactive)ショートメッセージサービス(ＳＭＳ:Short Message Service)システムに関する。
【０００２】
【従来の技術】
従来、私設無線網は公衆移動通信網(Public Land Mobile Network：ＰＬＭＮ)と相互連動が不可能であり、それぞれの網加入者は自分が登録されている網のみで移動通信サービスを受けることしかできなかった。このため、一つの移動通信端末、即ち移動局(Mobile Station：ＭＳ)がＰＬＭＮと私設無線網を通じた移動通信サービスをすべて受けることができるように、ＰＬＭＮと私設無線網を連動したサービスシステムが開発された。このようなシステムは、例えば、２００１年２月５日付に公開された大韓民国特許公開番号２００１−９９３２号の“移動通信網と私設交換網間の内線端末機着信呼処理方法”、２００１年３月５日付に公開された大韓民国特許公開番号２００１−１６８３５号の“移動通信網と私設無線網間の移動端末機着信呼処理方法”に開示されている。
【０００３】
一方、移動通信では対話型サーバを利用してＭＳに各種付加情報を対話型サービス形態で提供する対話型ＳＭＳが遂行されている。このような対話型ＳＭＳは、例えば、２００１年２月５日付に公開された大韓民国特許公開番号２００１−８８０５号の“無線移動端末を利用した対話型サービス方法”に開示されている。これによると、動画、テキスト情報(例えば、株式相場情報、列車乗車券(または乗車券予約)情報、航空乗車券(または乗車券予約)情報、ホテル関連情報、スポーツ競技(競技観覧券予約情報)）などの各種付加情報サービスを提供する。
【０００４】
一方、上述したような対話型ＳＭＳはＰＬＭＮでは提供されてきたが、私設無線網では提供されていない。ただ、私設無線網ではＭＳの対話型ＳＭＳ要求がある場合に、ＰＬＭＮにルーティング(routing)をして、ＭＳがＰＬＭＮを通じた対話型ＳＭＳを受信できるようにするだけであった。
【０００５】
しかし、私設無線網でも私設無線サービスが遂行される構内の特性に応じたコンテンツ(contents)を対話型ＳＭＳとして提供する必要がある。また、ＭＳ使用者がＰＬＭＮを通じた対話型ＳＭＳを使用する場合、料金を支払わなければならないが、私設無線網で私設無線網に登録されたＭＳに限って対話型ＳＭＳを無料で利用できるようにすることも考えられる。
【０００６】
【発明が解決しようとする課題】
従って、本発明の目的は私設無線網でも対話型ＳＭＳを提供することができる対話型ＳＭＳシステムとそのためのルーティング方法を提供することにある。
【０００７】
【課題を解決するための手段】
上述した目的を達成するための本発明による対話型ＳＭＳシステムは、公衆移動通信網（ＰＬＭＮ）と連動し移動局（ＭＳ）に公衆移動通信サービスと私設無線網サービスを提供する私設無線網において、ＭＳから私設基地局(ｐＢＴＳ:private Base Transceiver Station)を通じて対話型ショートメッセージサービス要求がある場合、初期発信メッセージの目的地アドレスに応じて、私設移動交換局(ｐＭＳＣ:private Mobile Switching Center)を通じ私設無線網にルーティングするか、又は、前記公衆移動通信網の基地局制御器(ＢＳＣ:Base Station Controller)を通じて前記公衆移動通信網にルーティングする私設基地局制御器(ｐＢＳＣ:private Base Station Controller)と、前記私設移動交換局に連結される私設ホーム位置登録機と、前記私設移動交換局に連結される私設ショートメッセージサービスセンター(ｐＳＭＳＣ:private Short Message Service Center)と、前記私設ショートメッセージサービスセンターと通信し前記私設基地局制御器の前記私設無線網へのルーティングに従って、前記移動局に対話型ショートメッセージサービスを提供する対話型ショートメッセージサービスサーバと、を設け、前記私設基地局制御器は、初期発信メッセージ及び初期発信以後の発信メッセージの目的地アドレスを分析し、前記目的地アドレスに私設用プレフィックスが含まれている場合には、前記私設ホーム位置登録機に私設無線網対話型ショートメッセージサービスセッション中である状態を登録するとともに、私設移動交換局を通じ前記私設無線網にルーティングし、前記目的地アドレスに公衆用プレフィックスが含まれている場合には、前記私設ホーム位置登録機で前記私設無線網対話型ショートメッセージサービスセッション中である状態を解除するとともに、前記公衆移動通信網の基地局制御器を通じて前記公衆移動通信網にルーティングし、前記目的地アドレスにプレフィックスが含まれていない場合には、さらに、前記私設ホーム位置登録機で前記私設無線網対話型ショートメッセージサービスセッション中であるかを確認し、前記私設無線網対話型ショートメッセージサービスセッション中である場合には、前記私設無線網にルーティングし、前記私設無線網対話型ショートメッセージサービスセッション中ではない場合には、前記公衆移動通信網にルーティングする。
【０００８】
また、上述した目的を達成するための本発明による対話型ＳＭＳのためのルーティング方法は、私設基地局と、私設基地局に連結される私設基地局制御器と、私設基地局制御器に連結される私設移動交換局と、私設移動交換局に連結される私設ショートメッセージサービスセンターと、私設ショートメッセージサービスセンターに連結され移動局に対話型ショートメッセージサービスを提供するための対話型ショートメッセージサービスサーバと、を備え、公衆移動通信網と連動する私設無線網において、私設基地局制御器が移動局から私設基地局を通じて対話型ショートメッセージサービス要求を受信すると、私設無線網に登録された移動局であるか否かを確認する過程と、私設無線網に登録されていない移動局である場合には、公衆移動通信網の基地局制御器(ＢＳＣ:Base Station Controller)を通じて公衆移動通信網にルーティングする過程と、私設無線網に登録された移動局である場合には、初期発信メッセージ及び初期発信以後の発信メッセージの目的地アドレスを分析する過程と、目的地アドレスに私設用プレフィックス(prefix)が含まれている場合には、私設移動交換局に連結される私設ホーム位置登録機に私設無線網対話型ショートメッセージサービスセッション中である状態を登録するとともに、私設移動交換局を通じて私設無線網にルーティングする過程と、目的地アドレスに公衆用プレフィックスが含まれている場合には、私設ホーム位置登録機で私設無線網対話型ショートメッセージサービスセッション中である状態を解除するとともに、公衆移動通信網の基地局制御器を通じて公衆移動通信網にルーティングする過程と、を含み、目的地アドレスにプレフィックスが含まれていない場合には、私設ホーム位置登録機で私設無線網対話型ショートメッセージサービスセッション中であるかを確認する過程と、私設無線網対話型ショートメッセージサービスセッション中である場合には、私設無線網にルーティングする過程と、私設無線網対話型ショートメッセージサービスセッション中ではない場合には、公衆移動通信網にルーティングする過程と、をさらに含む。
【００１１】
【発明の実施の形態】
以下、本発明の望ましい一実施形態について添付図を参照しつつ詳細に説明する。下記の説明において、本発明の要旨のみを明瞭にする目的で、関連した公知機能又は構成に関する具体的な説明は省略する。
【００１２】
図１は本発明の一実施形態による対話型ＳＭＳのためのＰＬＭＮと私設無線網の連動サービスシステム構成を示したものであり、私設無線網１０２が一般的なＰＬＭＮ１００と連動すると共に、本発明の一実施形態によって対話型ＳＭＳを提供するシステム構成を示したものである。ＰＬＭＮ１００は、一般的な移動交換局(ＭＳＣ:Mobile Switching Center)１０４と、ＭＳＣ１０４に連結される基地局制御器(ＢＳＣ:Base Station Controller)１０６と、ＢＳＣ１０６に連結される基地局(ＢＴＳ:Base Transceiver Station)１０８と、からなり、ＭＳ１１０に移動通信サービスを提供する。また、ＭＳＣ１０４にはホーム位置登録機／訪問者位置登録機(ＨＬＲ／ＶＬＲ:Home Location Register/Visitor Location Register)１１２が連結され、ＳＭＳを提供するＳＭＳセンター(ＳＭＳＣ:ＳＭＳ Center)１１４が連結され、ＳＭＳＣ１１４には対話型ＳＭＳアプリケーション(application)を搭載した対話型ＳＭＳサーバ(INTERACTIVE SMS SERVER)１１６が連結され、ＭＳ１１０、１２４に対話型ＳＭＳを提供する。公知のようにＰＬＭＮ１００内でＭＳＣ１０４、ＢＳＣ１０６、ＢＴＳ１０８はそれぞれ多数個が含まれるが、図１では便宜上、一つずつのみを示している。
【００１３】
上述したようなＰＬＭＮ１００と連動する私設無線網１０２は、構内加入者データベース(ＤＢ:Data Base)である私設ホーム位置登録機(ｐＨＬＲ:private Home Location Register)１２６と連結される私設移動交換局(ｐＭＳＣ:private Mobile Switching Center)１１８と、ｐＭＳＣ１１８に連結される私設基地局制御器(ｐＢＳＣ:private Base Station Controller)１２０と、ｐＢＳＣ１２０に連結される私設基地局(ｐＢＴＳ:private Base Transceiver Station)１２２と、を設け、私設無線網１０２とＰＬＭＮ１００に加入したＭＳ１２４にＰＬＭＮ１００と私設無線網１０２を通じた移動通信サービスを提供する。またｐＭＳＣ１０４にはＳＭＳを提供するための私設ＳＭＳセンター(ｐＳＭＳＣ:private ＳＭＳ Center)１２８が連結され、ｐＳＭＳＣ１２８には対話型ＳＭＳアプリケーションを搭載した対話型ＳＭＳサーバ１３０が連結され、ＭＳ１２４に私設無線網１０２での対話型ＳＭＳを提供する。
【００１４】
上述したような私設無線網１０２で対話型ＳＭＳをできるようにするためには、ＭＳ１２４がＳＭＳを受けるために、ｐＢＴＳ１２２を通じてｐＢＳＣ１２０に伝送するすべてのデータバーストメッセージ(data burst message)に対し、ＰＬＭＮ１００と私設無線網１０２とを区分するようにルーティングが遂行されるべきである。このような対話型ＳＭＳメッセージのルーティングはｐＢＳＣ１２０により遂行されるが、より具体的にはｐＢＳＣ１２０に設けられ、ｐＢＴＳ１２２から受信するメッセージに対してルーティングを担当するブロックであるＢＴＭＲ(ＢＴＳ Message Router)により後述のように遂行される。通常、ｐＢＳＣ１２０のＢＴＭＲはＰＬＭＮ１００のＢＳＣ１０６と連動し、ＭＳ１２４への無線呼に対しＰＬＭＮ１００と私設無線網１０２へのルーティングを遂行して、無線呼がＰＬＭＮ１００の呼である場合は、ＢＳＣ１０６を通じてＰＬＭＮ１００にルーティングし、私設無線網１０２の呼に対してはｐＭＳＣ１１８にルーティングする。
【００１５】
ＭＳ１２４の対話型ＳＭＳ要求に対するｐＢＳＣ１２０のルーティング処理を２００〜２１４段階に示した図２を参照して本発明の一実施形態によるルーティング処理を説明する。ＭＳ１２４がＳＭＳを要求するデータバーストメッセージを私設無線網１０２のｐＢＴＳ１２２に発信すると、ｐＢＳＣ１２０は２００段階(RECEIVE DATA BURST MESSAGE FROM MS)でＭＳ１２４からデータバーストメッセージを受信するようになる。すると、２０２段階(MS HAS BEEN REGISTERED INPRIVATE WIRELESS NETWORK ?)で該当ＭＳ１２４が私設無線網１０２に登録されているＭＳであるか否かを確認する。ＭＳ１２４が私設無線網１０２に登録されていないＭＳであると、２１４段階(ROUTE MESSAGE TO PLMN)でＢＳＣ１０６を通じてＰＬＭＮ１００にデータバーストメッセージをルーティングする。一方、ＭＳ１２４が私設無線網１０２に登録されたＭＳであると、２０４段階(TELESERVICE ID INDICATES INTERACTIVE SMS ?)でデータバーストメッセージ内のＩＳ−６３７−ＡフォーマットからテレサービスＩＤを確認する。
【００１６】
参考として、ＳＭＳはＩＳ−９５ＢやＩＳ−９５Ｃプロトコルを利用し、ＳＭＳのアプリケーション階層(application layer)であるテレサービス階層(teleservice layer)はＩＳ−６３７プロトコルを利用する。ＰＬＭＮ１００において、ＢＳＣ１０６及びＭＳＣ１０４ではＩＳ−６３７プロトコルには全く関与せず上位に伝達する機能のみを提供する。これによって、私設無線網１０２のｐＢＳＣ１２０はＭＳ１２４による対話型ＳＭＳ要求に対してＰＬＭＮ１００のＢＳＣ１０６へメッセージのみをルーティングする。
【００１７】
しかし、本発明においてはｐＢＳＣ１２０がテレサービスＩＤを確認し、一般ＳＭＳを示すテレサービスＩＤである場合は２１４段階を遂行するが、対話型ＳＭＳを示すテレサービスＩＤである場合には２０６段階でＩＳ−６３７−Ａフォーマットに応じた目的地アドレスを分析する。
【００１８】
初期発信メッセージ(initial originating message)である場合、目的地アドレス(destination address)にはＭＳ１２４の使用者が入力した連結番号(connection symbol)がフォーマットされているので、使用者はＰＬＭＮ１００と私設無線網１０２を区分して番号を入力するようにする。例えば、ＰＬＭＮ１００に対する対話型ＳＭＳを要求する場合は公衆用プレフィックス(public prefix)として“＊＋数字”、即ち“＊”と予め規定された番号の“数字”とを入力するようにし、私設無線網１０２に対する対話型ＳＭＳを要求する場合には私設用プレフィックスとして“＃”を入力するようにする。
【００１９】
２０６段階(DESTINATION ADDRESS ?)で目的地アドレスに私設用プレフィックスが含まれている場合には、２０８段階(REGISTER PRIVATE WIRELESS NETWORK INTERACTIVE SMS SESSION STATE IN pHLR)でｐＨＬＲ１２６に私設無線網対話型ＳＭＳセッション(session)中の状態を登録し、２１０段階(ROUTE MESSAGE TO PRIVATE WIRELESS NETWORK)でｐＭＳＣ１１８を通じて私設無線網１０２にメッセージをルーティングする。これによってＭＳ１２４は私設無線網１０２の対話型ＳＭＳサーバ１３０を通じて対話型ＳＭＳを受信するようになる。一方、２０６段階で目的地アドレスに公衆用プレフィックスが含まれている場合には、２１２段階(RELEASE PRIVATE WIRELESS NETWORK INTERACTIVE SMS SESSION STATE FROM pHLR)でｐＨＬＲ１２６における私設無線網対話型ＳＭＳセッション中の状態を解除し、２１４段階でＰＬＭＮ１００のＢＳＣ１０６を通じてＰＬＭＮ１００にメッセージをルーティングする。これによってＭＳ１２４はＰＬＭＮ１００の対話型ＳＭＳサーバ１１６を通じて対話型ＳＭＳを受信するようになる。
【００２０】
対話型ＳＭＳの初期発信以後は、ＭＳ１２４と対話型ＳＭＳサーバ１１６、または対話型ＳＭＳサーバ１３０のアプリケーションがアプリケーションレベルで相互にメッセージをやり取りながら対話型ＳＭＳセッションを維持するようになる。この場合、ｐＢＳＣ１２０におけるＢＴＭＲのアプリケーションレベルで詳細な情報を有しないと、メッセージをルーティングすることができない。これは、対話型ＳＭＳのための初期発信メッセージには、上述したように目的地アドレスに私設用プレフィックスや公衆用プレフィックスが含まれているが、以後のメッセージには私設用プレフィックスや公衆用プレフィックスが含まれないようになるからである。
【００２１】
これを解決するために、ｐＢＳＣ１２０は、ＭＳ１２４から対話型ＳＭＳのための初期発信メッセージを受信すると、２０８段階でｐＨＬＲ１２６に私設無線網対話型ＳＭＳセッション状態であることを登録するか、又は、２１２段階でｐＨＬＲ１２６での私設無線網対話型ＳＭＳセッション状態を解除して、私設無線網対話型ＳＭＳセッション状態であるか否かを指示する。これ以降、ＭＳ１２４から受信するメッセージに対しては、ｐＨＬＲ１２６に指示した私設無線網対話型ＳＭＳセッション状態であるか否かを参照してメッセージをルーティングする。
【００２２】
このようにするため、ｐＨＬＲ１２６の一般加入者情報に下記表１、２のＳＭＳセッションフィールド“ＳＭＳ_Session”を追加し、私設無線網対話型ＳＭＳセッション状態であるか否かを表示する。下記表１はＳＭＳセッションフィールド“ＳＭＳ_Session”に私設無線網対話型ＳＭＳセッション状態が登録されていること意味する“ＯＮ”値が貯蔵されていることを示し、下記表２はＳＭＳセッションフィールド“ＳＭＳ_Session”に私設無線網対話型ＳＭＳセッション状態の解除を意味する“ＯＦＦ”値が貯蔵されていることを示す。
【表１】
0004092217.tif 000002
【表２】
0004092217.tif 000003
【００２３】
受信したメッセージが対話型ＳＭＳの初期発信メッセージでない場合、２０６段階で目的地アドレスを分析した結果に公衆用プレフィックス及び私設用プレフィックスのどちらも含まれていないことが示される。すると、２１６段階(PRIVATE WIRELESS NETWORK INTERACTIVE SMS SESSION STATE HAS BEEN REGISTERED ?)に進行してｐＢＳＣ１２０がｐＨＬＲ１２６での私設無線網対話型ＳＭＳセッション状態を確認する。表１のように私設無線網対話型ＳＭＳセッション中であることの状態が登録されていると、ｐＢＳＣ１２０は２１０段階でｐＭＳＣ１１８を通じ私設無線網１０２にメッセージをルーティングする。これによって、ＭＳ１２４は私設無線網１０２の対話型ＳＭＳサーバ１３０を通じて継続的に対話型ＳＭＳを受信するようになる。一方、表２のように私設無線網対話型ＳＭＳセッション中であることの状態が登録されてないと、ｐＢＳＣ１２０は２１４段階でＰＬＭＮ１００のＢＳＣ１０６を通じてＰＬＭＮ１００にメッセージをルーティングする。これによってＭＳ１２４はＰＬＭＮ１００の対話型ＳＭＳサーバ１１６を通じて継続的に対話型ＳＭＳを受信するようになる。
【００２４】
これによって、ＰＬＭＮ１００だけでなく私設無線網１０２でも対話型ＳＭＳを提供することができるようになるので、使用者は私設無線網１０２の対話型ＳＭＳサーバ１３０が提供する各種コンテンツに対するサービスを受けることができるようになる。
【００２５】
【発明の効果】
上述したように、本発明によれば私設無線網でも対話型ＳＭＳを提供することができるようになるので、使用者はＰＬＭＮだけでなく私設無線網が提供する各種コンテンツに対するサービスを受けることができる利点がある。また、私設無線網に登録されたＭＳに限って私設無線網が提供する対話型ＳＭＳを無料で利用させることもできるので、経済的な負担のない対話型ＳＭＳを利用することができるようになる。
【図面の簡単な説明】
【図１】本発明の一実施形態による対話型ショートメッセージサービスのための公衆移動通信網と私設無線網連動サービスシステムの構成図。
【図２】本発明の一実施形態による対話型ショートメッセージサービスのための私設基地局制御器のルーティング処理流れ図。
【符号の説明】
１００  公衆移動通信網(ＰＬＭＮ)
１０２  私設無線網
１０４  移動交換局(ＭＳＣ)
１０６  基地局制御器(ＢＳＣ)
１０８  基地局(ＢＴＳ)
１１０、１２４  移動局（ＭＳ）
１１２  ホーム位置登録機／訪問者位置登録機(ＨＬＲ／ＶＬＲ)
１１４  ＳＭＳセンター(ＳＭＳＣ)
１１６、１３０  対話型ＳＭＳサーバ
１１８  私設移動交換局(ｐＭＳＣ)
１２０  私設基地局制御器(ｐＢＳＣ)
１２２  私設基地局(ｐＢＴＳ)
１２６  私設ホーム位置登録機(ｐＨＬＲ)
１２８  私設ＳＭＳセンター(ｐＳＭＳＣ)
【図１】
0004092217.tif 000004
【図２】
0004092217.tif 000005